(57)【要約】【解決手段】油圧流体のオイルリザーバ（４）に連通するポンプ（２）と、給電手段（５）を有する駆動手段（３）とを備え、ポンプ（２）が、オイルリザーバ（４）内に取り付けられているとともにオイルリザーバ（４）よりも上側に配置された駆動手段（３）に結合され、ポンプ（２）とオイルリザーバ（４）と駆動手段（３）と給電手段（５）とが、少なくとも部分的に取り外し自在なケーシング部材（１；７）で囲繞され、ケーシング部材（１；７）が、パワーコントローラを輸送可能にする支持手段（６；８）に結合されているパワーコントローラ。【選択図】図１
2009541691.tif 000002
【特許請求の範囲】
【請求項１】
油圧流体のオイルリザーバ（４）に連通するポンプ（２）と、給電手段（５）を有する駆動手段（３）とを備えるパワーコントローラにおいて、
前記ポンプ（２）が、前記オイルリザーバ（４）内に取り付けられているとともに該オイルリザーバ（４）よりも上側に配置された駆動手段（３）に結合され、
前記ポンプ（２）とオイルリザーバ（４）と駆動手段（３）と給電手段（５）とが、少なくとも部分的に取り外し自在なケーシング部材（１；７）で囲繞され、
該ケーシング部材（１；７）が、前記パワーコントローラを輸送可能にする支持手段（６；８）に結合されていることを特徴とするパワーコントローラ。
【請求項２】
前記駆動手段が、直流の電気モータ（３）であり、
前記給電手段が、前記ケーシング部材から取り外し自在であるとともに、電源回路に迅速に接続する電気接続手段（１０５、１３５、１２５）を有するサイクリック式の電源バッテリ（５）であることを特徴とする請求項１記載のパワーコントローラ。
【請求項３】
前記電源バッテリが、前記ポンプ（２）を囲繞するオイルリザーバ（４）の下側に位置する区画された収容室内に配置され、
集合体が、略円筒状の前記ケーシング部材（１）内に取り付けられ、
前記電源バッテリ（５）の交換用のアクセスハッチ部分（３０１）が、前記ケーシング部材（１）に設けられていることを特徴とする請求項２記載のパワーコントローラ。
【請求項４】
前記オイルリザーバ（４）とポンプ（２）と電気モータ（３）とからなる集合体が、開閉自在な蓋（１０７）を有するほぼスーツケース形状のケーシング部材（７）内に設置され、
前記電源バッテリ（５）が、前記集合体の横側に配置されていることを特徴とする請求項２記載のパワーコントローラ。
【請求項５】
前記支持手段が、リュックサック等と同様なオペレータの身体への取り付け手段（１０６、２０６；６０８、７０８）を有する硬質または半硬質のフレーム（６；８）であることを特徴とする請求項１乃至請求項４のいずれかに記載のパワーコントローラ。
【請求項６】
前記フレーム（６；８）の一部としてのアイドル状のホイール（３０６；３０７）と伸縮自在および引き出し自在なハンドル（４１６、４３６；４０８）とが滑らかな表面上での輸送のために設けられていることを特徴とする請求項５記載のパワーコントローラ。
【請求項７】
前記ケーシング部材（１）が、該ケーシング部材に配置したベース部材（１０１）に接続された直立部材（Ｕ）に沿って伸縮自在にスライドする管状のガイド部材（Ｇ）によって支持されて前記ベース部材に対して上昇するようになっているとともに、
前記ケーシング部材を上昇位置に維持するストッパ部材が設けられていることを特徴とする請求項１記載のパワーコントローラ。
【請求項８】
前記電源バッテリ（５）が、該電源バッテリ（５）の充電状態を検出する基板と前記電源バッテリ（５）の充電状態を視覚的に表示する表示手段（Ｌ１、Ｌ２、Ｌ３）とを備えていることを特徴とする請求項１乃至請求項７のいずれかに記載のパワーコントローラ。
【請求項９】
前記ケーシング部材の外側から最大圧力弁（Ｖ）の圧力を手動で調整するための圧力調整手段（Ｋ）が設けられていることを特徴とする請求項１乃至請求項８のいずれかに記載のパワーコントローラ。
【請求項１０】
前記最大圧力弁（Ｖ）の圧力を検出する圧力ゲージ（Ｐ）と前記最大圧力弁（Ｖ）の圧力をケーシング部材（７）の外側から手動で調整するための圧力調整手段（Ｋ）とが設けられていることを特徴とする請求項４記載のパワーコントローラ。
【発明の詳細な説明】
【技術分野】
【０００１】
本発明は、パワーコントローラに関し、特に、輸送可能なパワーコントローラに関する。
【背景技術】
【０００２】
「パワーコントローラ」なる用語は、一般に、ポンプを駆動する直流の電気モータを有する電気コントローラを意味し、このポンプは、油圧工具を駆動するために用いられる流体を加圧するようになっている。
公的な保護および支援（例えば、災害救助）の分野では、ジャッキ、ナットブレーカ、エキストラクタ、トルクレンチ、および、約５０〜約７５０ｂａｒの範囲の作動圧を有する他の装置等の工具を駆動するために用いられる輸送可能なパワーコントローラが使用されている。
【発明の概要】
【発明が解決しようとする課題】
【０００３】
本発明の目的は、容易な輸送、軽量化、所与の緊急事態に対する迅速な措置を達成するための十分な電源バッテリ寿命の確保、全体寸法の小型化、メンテナンスを不要にすること、電源バッテリの非常に迅速な交換、作業の継続時間の延長を達成することである。
【課題を解決するための手段】
【０００４】
本発明の目的は、油圧流体のオイルリザーバに連通するポンプと、給電手段を有する駆動手段とを備え、ポンプがオイルリザーバ内に取り付けられているとともにオイルリザーバよりも上側に配置された駆動手段に結合され、ポンプとオイルリザーバと駆動手段と給電手段とが少なくとも部分的に取り外し自在であり、および／または、上昇自在なケーシング部材で囲繞され、ケーシング部材がパワーコントローラを輸送可能にする支持手段に結合されているパワーコントローラにより達成される。
【０００５】
好ましい実施形態では、前述した駆動手段が直流の電気モータから成り、前述した給電手段がパワーコントローラから取り外し自在であり、電源回路に迅速に接続する電気接続手段を有するサイクリック式（cyclic）の電源バッテリを備えている。
特に、電源バッテリがポンプを囲繞するオイルリザーバの下側に配置され、これら電源バッテリとオイルリザーバとからなる集合体が略円筒状のケーシング部材内に取り付けられ、このケーシング部材に電源バッテリ交換用のアクセスハッチ部分が設けられている。
または、前述したオイルリザーバとポンプと電気モータとからなる集合体が、ほぼスーツケース形状を呈するケーシング部材内に設置され、前述した集合体の横側に電源バッテリが配置されている。
【０００６】
前述したような全ての実施態様において、輸送機能を実現する支持手段は、（リュックサック等と同様な）オペレータの身体への取り付け手段を有する硬質または半硬質のフレームから構成しても良い。
また、平坦な表面上での輸送を容易にするためにフレームの一部にアイドル状のホイールを設けても良く、輸送を容易にするために引き出し自在および伸縮自在なハンドルを設けても良い。
【０００７】
本発明を図面に示された複数の実施例および変形例に基づいて、以下に詳細に説明する。
【発明を実施するための形態】
【０００８】
図１は、本発明の第１実施例であるパワーコントローラを示し、符号１は、パワーコントローラの構成部材を囲繞する円筒状のケーシング部材を示している。
ケーシング部材１の内部の一端は、ベース部材１０１上に配置され、このベース部材１０１には、スタートボタン１２１と動力取り出し口１１１とが設けられ、この動力取り出し口１１１には、柔軟なチューブ１３１が接続されている。
また、このチューブ１３１は、適切な工具（図示せず）に接続されている。
ケーシング部材１は、ベース部材１０１と反対側の端部に、ケーシング部材１に一体形成された半球ドーム部分２０１を有している。
ベース部材１０１の近傍には、ポイント３１１でケーシング部材１にヒンジ結合されたアクセスハッチ部分３０１が、ケーシング部材１の外周壁に形成されている。
このアクセスハッチ部分３０１は、給電手段としての電源バッテリ５の設置箇所でのケーシング部材１の内部へのアクセスを可能にし、その結果、必要に応じた電源バッテリ５の取り外し及び交換を可能にしている。
駆動手段としての電気モータ３に対して駆動シャフト１０３によって結合されたポンプ２を収容するオイルリザーバ４は、電源バッテリ５より上方に位置され、前述した電気モータ３は、ケース３０３の内側に配置されて結合フランジ部分２０３によってケース３０３に接続されている。
【０００９】
ケーシング部材１は、フレーム４０６によって支持手段としての支持用バックフレーム６に接続され、フレーム４０６内には、ハンドル４３６を有したバー４１６が伸縮自在に嵌め込まれている。
フレーム４０６は、適切な固定手段４５６によってベース部材１０１に固定された突出アーム４４６を有し、また、ケーシング部材１は径方向に突出するラグ部分４０１を有し、このラグ４０１部分には、フレーム４０６がラグ部分４０１に配置されたピン４６６によって接続されている。
支持用バックフレーム６には、２つのショルダーストラップ１０６およびウエストストラップ２０６がオペレータの身体への取り付け手段として設けられている。
【００１０】
図２は、本発明の第２実施例であるパワーコントローラを示し、前述した第１実施例と同一の符号は、同一の部材を示している。
図２に示すように、ポンプ２とオイルリザーバ４と電気モータ３とケース３０３との相互間における位置は、前述した図１に示す位置と同様である。
また、符号Ｋは、最大圧力弁Ｖの圧力を調整するために設けられる圧力調整手段としてのノブであり、符号Ｐは、圧力ゲージである。
第２実施例では、第１実施例におけるケーシング部材１が、ポイント１１７でヒンジ結合された蓋１０７を有するスーツケース形状のケーシング部材７に置き換えられ、また、電源バッテリ５は、オイルリザーバ４とポンプ２と電気モータ３の集合体の横側に配置されている。
また、ケーシング部材７は、ロック手段２０８とオペレータの身体への取り付け手段としてのバックフレーム５０８およびショルダーストラップ６０８およびウエストストラップ７０８とを有した開放自在な半硬質バンドからなる支持手段としてのフレーム８によって取り囲まれている。
また、ケーシング部材７には、ケーシング部材７上のポイント３１７で直接に回動するホイール３０７と、前述した第１実施例における伸縮自在なバー４１６に類似する（そのため、本実施例では十分に説明しない）伸縮自在なバーに結合されたハンドル４０８とが設けられている。
【００１１】
図３と図４とは、特に電源バッテリ５の取り外しとケーシング部材１内での電源バッテリ５の位置決めに関する本発明の変形例を示している。
図３は、ケーシング部材１に配置するベース部材１０１を示し、このベース部材１０１内には、コネクタ１０５の可動プラグ１３５を挿入する定形のキャビティ１５１を有する電源コンセント１４１が配置されている。
図３に示すように、ベース部材１０１内への設置前の電源バッテリ５には、電気接続手段として、電源バッテリ５の対応する電極２０５および電極３０５に接続された２本のケーブル１１５を有するコネクタ１０５と可動プラグ１３５とこの可動プラグ１３５用の作動レバー１２５とが設けられている。
電源バッテリ５をベース部材１０１内に設置する際には、コネクタ１０５を電源コンセント１４１に隣接させ、作動レバー１２５の作用によって可動プラグ１３５を電源コンセント１４１のキャビティ１５１内へ挿入する。
ケーシング部材１のベース部材１０１にはＯＮ／ＯＦＦ用のスイッチＳが設けられ、このＯＮ／ＯＦＦ用のスイッチＳは、そのＯＮ状態で、充電状態の視覚的な表示手段としての（異なる色で着色された）発光ダイオードＬ１、Ｌ２、Ｌ３を電源バッテリ５の充電レベルを検出するプリント回路基板（図示せず）との通信状態に置き、この電源バッテリ５の充電状態は、３つの着色された発光ダイオードＬ１、Ｌ２、Ｌ３のうちの１つの点灯によって視覚的に表示されるように設計されている（例えば、緑色が電源バッテリ５の完全充電状態を示し、黄色が電源バッテリ５の半充電状態を示し、赤色が電源バッテリ５の放電状態を示している）。
【００１２】
図５は、本発明の第３実施例であるパワーコントローラを示し、第１実施例と同一の符号は、同一の部材を示している。
【００１３】
本実施例では、円筒状のケーシング部材１は、ベース部材１０１に接続された直立部材Ｕに沿って伸縮自在にスライドする管状のガイド部材Ｇによって支持されている。
その結果、ケーシング部材１をベース部材１０１に対して上昇させることができ、例えば、電源バッテリ５を交換するためにケーシング部材１を例えば２つの上昇位置に維持するストッパ部材が設けられている。
図５における符号Ｂは、電源バッテリ５の充電状態を検出するプリント回路基板を示している。
図５における符号Ｋは、最大圧力弁Ｖの圧力を調整する圧力調整手段としてのノブを示している。
【００１４】
本発明のパワーコントローラが奏する作用、効果を以下に説明する。
図示したように、全ての実施例に共通して、オイルリザーバ４内に取り付けられたポンプ２と電気モータ３とからなる集合体は非常にコンパクトであり、パワーコントローラ内における各部材の非常に順序付けられた簡便な配置を実現できる。
また、全ての実施例に共通して、電源バッテリ５は、想定し得る最良の方法で想定し得る最短時間でアクセスされるように配置され、パワーコントローラの使用中における迅速な電源バッテリ５の交換を達成できる。
電気モータ３によって生成される熱を放散する目的でケース３０３が設けられているため、オペレータによる電源バッテリ５の交換作業時には、オペレータがケース３０３またはケーシング部材１の内部に容易にアクセスできる。
図１に示す第１実施例では、オイルリザーバ４が、完全にシールされた状態で支持手段（支持用バックフレーム６およびフレーム８）上に装着されているため、電源バッテリ５をオイルリザーバ４の下側に配置できる。
ケーシング部材１は、ラグ部分４０１をピン４６６から取り外した後にベース部材１０１から取り外すことができるようになっている。
しかしながら、図１に示すように、電源バッテリ５の区画された収容室へのアクセスを容易にするアクセスハッチ部分３０１を設けるのが好ましい。
【００１５】
全ての実施例は、支持手段（支持用バックフレーム６およびフレーム８）上に設けられるショルダーストラップ１０６、６０８およびウエストストラップ２０６、７０８、および、ホイール３０７と伸縮自在なバー４１６とを有するハンドル４０８、４３６を設けることにより、優れた輸送性を発揮できる。
そのため、オペレータは、平坦でほぼ滑らかな面上や、あまり好ましくない状態においてもパワーコントローラを容易に輸送できる。
【００１６】
図３および図４に示す変形例の目的は、電源バッテリ５とモータ電源回路の間の電気接続を効率的にすることである。
この変形例は、特定の重要性を有している。
なぜなら、電源バッテリ５へのアクセス性の確保だけでなく、電気接続のための高レベルの安全性の維持や、オペレータの極めて簡単な操作による迅速な電源バッテリ５の電気接続や、電源バッテリ５の取り外し性を確保する必要があるからである。
特に、図３および図４に示す変形例では、電源バッテリ５の収容室内での位置決めおよびロックを実現するため、電源回路全体の本質的な信頼性を向上できる。
【図面の簡単な説明】
【００１７】
【図１】本発明の第１実施例であるパワーコントローラを示す部分断面図。
【図２】本発明の第２実施例であるパワーコントローラを示す部分断面図。
【図３】本発明の変形例であるパワーコントローラで用いられるベース部材および電源バッテリを示す斜視図。
【図４】本発明の変形例であるパワーコントローラで用いられるベース部材に電源バッテリを設置した状態を示す斜視図。
【図５】本発明の第３実施例であるパワーコントローラを示す部分断面図。
【図１】
2009541691.tif 000003
【図２】
2009541691.tif 000004
【図３】
2009541691.tif 000005
【図４】
2009541691.tif 000006
【図５】
2009541691.tif 000007
【国際調査報告】
2009541691.tif 000008
2009541691.tif 000009
2009541691.tif 000010